(57)【要約】【課題】携帯端末の消費電力を低減させつつ、セキュリティを低減させない状態制御システムを提供することを目的とする。【解決手段】携帯端末と、携帯端末から送信された信号に基づいて、制御対象を施錠状態又は解錠状態に制御する制御装置と、を備える状態制御システムであって、イベントを検出していなければ、第１信号を送信し、イベントを検出していれば、第１信号よりデータ長が長い第２信号を送信し、制御装置は、制御対象が施錠状態である場合に携帯端末から第２信号を受信すれば、制御対象を解錠状態に制御し、制御対象が解錠状態である場合に携帯端末から第１信号を所定時間受信しなければ、制御対象を施錠状態に制御することを特徴とする。【選択図】図４
2013217142.tif 000002
【特許請求の範囲】
【請求項１】
外部に識別情報を含む信号を送信する携帯端末と、
前記携帯端末から送信された信号に基づいて、制御対象を施錠状態又は解錠状態に制御する制御装置と、を備え、
前記携帯端末は、
所定のイベントを検出するイベント検出部を有し、
前記イベント検出部が前記イベントを検出していない場合、第１信号を送信し、
前記イベント検出部が前記イベントを検出している場合、前記第１信号よりデータ長が長い第２信号を送信し、
前記制御装置は、
前記制御対象が前記施錠状態であり、前記携帯端末から前記第２信号を受信した場合、前記制御対象を前記解錠状態に制御し、
前記制御対象が前記解錠状態であり、前記携帯端末から前記第１信号及び前記第２信号を所定時間受信しなかった場合、前記制御対象を前記施錠状態に制御することを特徴とする状態制御システム。
【請求項２】
請求項１に記載の状態制御システムであって、
前記制御装置は、所定のタイミングで信号送信要求を前記携帯端末に送信し、
前記携帯端末は、前記信号送信要求を受信したタイミングで前記イベント検出部の前記イベントの検出結果に基づいて前記第１信号又は前記第２信号を送信することを特徴とする状態制御システム。
【請求項３】
請求項１に記載の状態制御システムであって、
前記制御装置は、
前記制御対象が前記解錠状態である場合には第１信号送信要求を前記携帯端末に送信し、
前記制御対象が前記施錠状態である場合には第２信号送信要求を前記携帯端末に送信し、
前記携帯端末は、
前記第１信号送信要求を受信した場合、前記第１信号を送信し、
前記第２信号送信要求を受信し、前記イベント検出部が前記イベントを検出している場合、前記第２信号を送信することを特徴とする状態制御システム。
【請求項４】
請求項１に記載の状態制御システムであって、
前記携帯端末は、加速度を測定する加速度センサを備え、
前記イベント検出部は、前記加速度センサの測定結果に基づいて、前記携帯端末の保持者が停止していることを所定のイベントとして検出することを特徴とする状態制御システム。
【請求項５】
請求項１に記載の状態制御システムであって、
前記携帯端末は、前記第１信号を平文で送信し、前記第２信号を暗号化して送信することを特徴とする状態制御システム。
【請求項６】
請求項１に記載の状態制御システムであって、
前記携帯端末は、赤外線を用いて前記信号を送信し、
前記制御装置は、前記第２信号を受信した場合、前記第２信号に含まれる識別情報の認証に成功した場合に前記制御対象を前記解錠状態に制御することを特徴とする状態制御システム。
【請求項７】
請求項６に記載の状態制御システムであって、
前記携帯端末は、赤外線発光素子を発光させることによって前記信号を送信し、
前記赤外線発光素子を発光させるパルス幅を短縮するためにバイナリカウンタを用いることを特徴とする状態制御システム。
【請求項８】
請求項１に記載の状態制御システムであって、
前記制御装置は、前記制御対象が前記解錠状態である場合に受信した前記第１信号に含まれる識別情報を記憶することを特徴とする状態制御システム。
【請求項９】
制御対象を施錠状態又は解錠状態に制御する状態制御システムにおける前記制御対象の状態を制御する状態制御方法であって、
前記状態制御システムは、
外部に識別情報を含む信号を送信する携帯端末と、
前記携帯端末から送信された信号に基づいて、前記制御対象を前記施錠状態又は前記解錠状態に制御する制御装置と、を有し、
前記方法は、
前記携帯端末が、所定のイベントを検出するステップと、
前記携帯端末が、前記イベント検出ステップで前記イベントが検出されていない場合、第１信号を送信するステップと、
前記携帯端末が、前記イベント検出ステップで前記イベントが検出されている場合、前記第１信号よりデータ長が長い第２信号を送信するステップと、
前記制御装置が、前記制御対象が前記施錠状態であり、前記携帯端末から前記第２信号を受信した場合、前記制御対象を前記解錠状態に制御するステップと、
前記制御装置が、前記制御対象が前記解錠状態であり、前記携帯端末から前記第１信号及び前記第２信号を所定時間受信しない場合、前記制御対象を前記施錠状態に制御するステップと、を含むことを特徴とする状態制御方法。
【請求項１０】
請求項９に記載の状態制御方法であって、
前記方法は、前記制御装置が、所定のタイミングで信号送信要求を前記携帯端末に送信するステップを含み、
前記第１信号又は第２信号を送信するステップでは、前記信号送信要求を受信したタイミングで前記イベント検出部の前記イベントの検出結果に基づいて前記第１信号又は前記第２信号を送信することを特徴とする状態制御方法。
【請求項１１】
請求項９に記載の状態制御方法であって、
前記方法は、
前記制御装置が、前記制御対象が前記解錠状態である場合には第１信号送信要求を前記携帯端末に送信するステップと、
前記制御装置が、前記制御対象が前記施錠状態である場合には第２信号送信要求を前記携帯端末に送信するステップと、を含み、
前記第１信号を送信するステップでは、前記第１信号送信要求を受信した場合、前記第１信号を送信し、
前記第２信号を送信するステップでは、前記第２信号送信要求を受信し、前記イベント検出ステップで前記イベントが検出されている場合、前記第２信号を送信することを特徴とする状態制御方法。
【請求項１２】
請求項９に記載の状態制御方法であって、
前記携帯端末は、加速度を測定する加速度センサを備え、
前記イベントを検出するステップでは、前記加速度センサの測定結果に基づいて、前記携帯端末の保持者が停止していることを所定のイベントとして検出することを特徴とする状態制御方法。
【請求項１３】
請求項９に記載の状態制御方法であって、
前記第１信号を送信するステップでは、前記第１信号を平文で送信し、
前記第２信号を送信するステップでは、前記第２信号を暗号化して送信することを特徴とする状態制御方法。
【請求項１４】
請求項９に記載の状態制御方法であって、
前記第１信号又は第２信号を送信するステップでは、赤外線を用いて前記信号を送信し、
前記制御装置の前記制御対象を前記解錠状態に制御するステップでは、前記第２信号を受信し、前記前記第２信号に含まれる識別情報の認証に成功した場合に前記制御対象を前記解錠状態に制御することを特徴とする状態制御方法。
【請求項１５】
請求項１４に記載の状態制御方法であって、
前記第１信号を送信するステップ及び前記第２信号を送信するステップでは、前記携帯端末が有する赤外線発光素子を発光させることによって前記信号を送信し、
前記第１信号を送信するステップ及び前記第２信号を送信するステップでは、前記赤外線発光素子を発光させるパルス幅を短縮するためにバイナリカウンタを用いることを特徴とする状態制御方法。
【発明の詳細な説明】
【技術分野】
【０００１】
本発明は、制御対象を施錠状態又は解錠状態に制御する状態制御システムに関し、特に、携帯端末によって送信される信号に基づいて制御対象の施錠状態を制御する状態制御システム。
【背景技術】
【０００２】
情報の高度化に伴って情報セキュリティの問題は深刻化しており、特に、部屋の入退管理、及び情報機器へのアクセスに対するセキュリティの向上が望まれる。
【０００３】
部屋の入退管理のセキュリティシステムとしては、ＩＤカードを部屋のリーダにかざし、認証が成功した場合に部屋のドアを解錠するシステムが知られている。また、情報機器へのアクセスのセキュリティシステムとしては、情報機器にパスワードを入力することによって情報機器のロックを解除するシステムが知られている。
【０００４】
しかし、これらのシステムでは、ユーザがＩＤカードをリーダにかざし、又はユーザがパスワードを入力しなければならず、これらの手間がユーザにとって煩わしいものであった。
【０００５】
そこで、ＩＤカードをリーダにかざす必要のない入退管理システムが知られている（例えば、特許文献１参照）。特許文献１に記載された入退管理システムでは、入退室許可者が保持するＩＤタグ（携帯端末）の情報がＩＤリーダによってハンズフリーで読み取られ、進入検知センサによってＩＤタグを保持している入退室許可者の動作が停止していると判定された場合にのみ出入口のドアを解錠する。
【先行技術文献】
【特許文献】
【０００６】
【特許文献１】特開２００７−１０７１９４号公報
【発明の概要】
【発明が解決しようとする課題】
【０００７】
一般的に、制御対象を解錠する場合には、セキュリティの高い通信が必要となるため、通信される信号は例えば２５６ビットのビット長が必要である。携帯端末が解錠のための信号を頻繁に送信すれば、携帯端末の消費電力が増加してしまう。
【０００８】
携帯端末の消費電力の増加に対応するためには、携帯端末が電池を備える場合、携帯端末の消費電力の増加に対する対策としては、電池を大型化するか、当該電池を頻繁に充電しなければならない。また、携帯端末が、リーダからの電波を受信することによって信号を送信するために必要な電力を生成する場合、リーダからの電波を受信するための受信アンテナを大型化しなければならない。電池又は受信アンテナを大型化した場合には携帯端末の大型化を招いてしまう。
【０００９】
特許文献１に記載された入退管理システムでは、ユーザがドア付近に位置していれば、ＩＤタグは解錠に用いられる信号を送信するため、携帯端末の消費電力を低減できない。
【００１０】
そこで、本発明は、携帯端末の消費電力を低減させつつ、セキュリティを低減させない状態制御システムを提供することを目的とする。
【課題を解決するための手段】
【００１１】
本発明の代表的な一例を示せば、外部に識別情報を含む信号を送信する携帯端末と、前記携帯端末から送信された信号に基づいて、制御対象を施錠状態又は解錠状態に制御する制御装置と、を備え、前記携帯端末は、所定のイベントを検出するイベント検出部を有し、前記イベント検出部が前記イベントを検出していない場合、第１信号を送信し、前記イベント検出部が前記イベントを検出している場合、前記第１信号よりデータ長が長い第２信号を送信し、前記制御装置は、前記制御対象が前記施錠状態であり、前記携帯端末から前記第２信号を受信した場合、前記制御対象を前記解錠状態に制御し、前記制御対象が前記解錠状態であり、前記携帯端末から前記第１信号及び前記第２信号を所定時間受信しなかった場合、前記制御対象を前記施錠状態に制御することを特徴とする。
【発明の効果】
【００１２】
本願において開示される発明のうち代表的なものによって得られる効果を簡潔に説明すれば、下記の通りである。すなわち、携帯端末の消費電力を低減させつつ、セキュリティを低減させない状態制御システムを提供できる。
【図面の簡単な説明】
【００１３】
【図１】本発明の第１実施例の入退管理システムの構成の説明図である。
【図２】本発明の第１実施例の携帯端末の構成の説明図である。
【図３】本発明の第１実施例の入退管理システムの機能ブロック図である。
【図４】本発明の第１実施例の入退管理システムのシーケンス図である。
【図５】本発明の携帯端末及び赤外線送受信機の動作を示すタイミングチャートである。
【図６】本発明の第１実施例の第１信号に含まれる識別情報を認証部が認証する方式の説明図である。
【図７】本発明の第１実施例の第２信号に含まれる識別情報を認証部が認証する方式の説明図である。
【図８】本発明の第１実施例の携帯端末の赤外線送受信の説明図である。
【図９Ａ】本発明の第１実施例の変調回路の回路図である。
【図９Ｂ】本発明の第１実施例の変調回路のタイミングチャートである。
【図１０Ａ】本発明の第１実施例の復調回路の回路図である。
【図１０Ｂ】本発明の第１実施例の復調回路のタイミングチャートである。
【図１１】本発明の第１実施例の変形例の入退管理システムのシーケンス図である。
【図１２】本発明の第２実施例の情報機器状態管理システムの構成図である。
【図１３】本発明の第２実施例の情報機器状態管理システムのシーケンス図である。
【図１４Ａ】本発明の第２実施例の情報機器の状態遷移の説明図である。
【図１４Ｂ】本発明の第２実施例の携帯端末の状態遷移の説明図である。
【図１５】本発明の第２実施例の変形例の情報機器状態管理システムのシーケンス図である。
【発明を実施するための形態】
【００１４】
（第１実施例）
本発明の第１実施例を図１〜図１１を用いて説明する。
【００１５】
図１は、本発明の第１実施例の入退管理システムの構成の説明図である。
【００１６】
入退管理システムは、ユーザが所持する携帯端末１０１、赤外線送受信機１０２、コントローラ（制御装置）１０３、及び自動ドア（制御対象）１０４を備える。
【００１７】
携帯端末１０１は識別情報を含む信号を外部に赤外線を用いて送信し、また外部から赤外線による信号を受信する。赤外線送受信機１０２は、携帯端末１０１から送信された信号をコントローラ１０３に送信し、また、携帯端末１０１に信号の送信要求を送信する。
【００１８】
コントローラ１０３は、携帯端末１０１から送信された信号を認証し、また、携帯端末１０１から送信された信号に基づいて自動ドアの施錠状態を制御する。自動ドア１０４の状態には、ドアが開いている状態である解錠状態とドアが閉じている状態である施錠状態とがある。
【００１９】
なお、赤外線送受信機１０２及びコントローラ１０３は、一つの筐体内に実装されてもよい。
【００２０】
図２は、本発明の第１実施例の携帯端末１０１の構成の説明図である。
【００２１】
携帯端末１０１は、マイコン１１１、赤外線送受信モジュール１１２、加速度センサ１１３、温度センサ１１４、スピーカ１１５、操作スイッチ１１６、不揮発性メモリ１１７、照度センサ１１８、マイク１１９、及びＬＣＤ１２０を備える。
【００２２】
マイコン１１１は、携帯端末１０１を制御するための演算処理を実行する。赤外線送受信モジュール１１２は、赤外線送受信モジュール１１２は、赤外線送受信機１０２との間で信号を赤外線を用いて送受信する。
【００２３】
加速度センサ１１３は携帯端末１０１の加速度を測定する。温度センサ１１４は、携帯端末１０１の周囲の温度を測定する。スピーカ１１５は、携帯端末１０１の動作及び状態などを示す音を出力する。ユーザは、スピーカ１１５から出力される音によって携帯端末１０１の動作及び状態などを把握可能である。操作スイッチ１１６はユーザが操作するスイッチである。
【００２４】
不揮発性メモリ１１７はユーザＩＤなどを記憶する。照度センサ１１８は、携帯端末１０１の周囲の照度を読低する。マイク１１９は、携帯端末１０１の周囲の音を取得する。ＬＣＤ１２０は、携帯端末１０１の動作及び状態などを表示する。
【００２５】
なお、本実施例の携帯端末１０１は、すべての構成部を備える必要はなく、マイコン１１１、赤外線送受信モジュール１１２、及び加速度センサ１１３を少なくとも備えればよい。
【００２６】
上述したように、携帯端末１０１と赤外線送受信機１０２とは、赤外線を用いて信号を送受信する。赤外線はＲＦ（Radio Frequency）よりも指向性が高いため、携帯端末１０１の赤外線送受信モジュール１１２が赤外線送受信機１０２に対面した場合にのみ、携帯端末１０１と赤外線送受信機１０２との間で信号が送受信されるので、携帯端末１０１を所持するユーザが自動ドア１０４を横切った場合に自動ドア１０４が開くという誤動作を防止できる。この点によって、赤外線通信はＲＦ通信より入退管理システムに適している。
【００２７】
また、ユーザは、携帯端末１０１を首に掛けることによって所持することが望ましい。このようにユーザの首に掛けることによってユーザに所持される携帯端末１０１を名札型携帯端末という。
【００２８】
次に、図１及び図２を用いて、入退管理システムの自動ドア１０４の状態の制御方法について簡単に説明する。
【００２９】
携帯端末１０１のマイコン１１１は、図２に示す加速度センサ１１３による加速度の測定結果に基づいて、ユーザが停止しているか否かを判定する。ユーザが停止していない場合、つまりユーザが歩行している場合、携帯端末１０１は第１信号を送信する。ユーザが停止している場合、携帯端末１０１は第２信号を送信する。後述するように、第２信号は自動ドア１０４を解錠する場合に用いられる信号であるので、第１信号よりビット長が長い。
【００３０】
赤外線送受信機１０２は、信号を受信すると、受信した信号が携帯端末１０１からの信号である場合に、受信した信号をコントローラ１０３に送信する。赤外線送受信機１０２は照明器具などの影響によって携帯端末１０１以外の信号も誤って受信してしまうため、携帯端末１０１からの信号のみをコントローラ１０３に送信することによって、携帯端末１０１からの信号のみをコントローラ１０３に送信することによって不要な信号をコントローラ１０３に送信することを防止できる。
【００３１】
なお、赤外線送受信機１０２はコントローラ１０３と有線によって接続されていてもよいし、無線によって接続されていてもよい。
【００３２】
コントローラ１０３は、自動ドア１０４が施錠状態である場合に第２信号を受信し、第２信号に含まれる識別情報の認証に成功すれば、自動ドア１０４を解錠状態に制御する。また、コントローラ１０３は、自動ドア１０４が解錠状態である場合に第１信号を受信し、第１信号に含まれる識別情報の認証に成功すれば、受信した第１信号に含まれる識別情報を図３に示すログファイル２０２に記憶する。また、コントローラ１０３は、自動ドア１０４を解錠状態である場合、所定時間連続して第１信号を受信しなければ、自動ドア１０４を施錠状態に制御する。
【００３３】
以上の動作によって、自動ドア１０４を解錠するためには、ユーザは自動ドア１０４の前で一度停止する必要がある。このため、自動ドア１０４の前をユーザが横切った場合に自動ドア１０４が解錠する誤作動を低減できる。
【００３４】
また、解錠した自動ドア１０４を一度に複数のユーザが通過しても、これらのユーザの携帯端末１０１の第１信号に含まれる識別情報をログファイル２０２に記憶できる。
【００３５】
自動ドア１０４の解錠に用いられる第２信号のビット長は、ログファイル２０２に記憶されるだけの第１信号のビット長より長く、携帯端末１０１は、このような第２信号をユーザが停止している場合にのみ送信するため、第２信号の送信頻度を低減できる。これによって、セキュリティレベルを低下することなく、携帯端末１０１の消費電力を低減できる。
【００３６】
さらに、携帯端末１０１と赤外線送受信機１０２とは赤外線を用いて通信するので、ユーザがカードをかざさなくてもよいし、パスワードを入力する必要もなく、ハンズフリーでユーザの入退を管理できる。
【００３７】
図３は、本発明の第１実施例の入退管理システムの機能ブロック図である。
【００３８】
赤外線送受信機１０２は、赤外線送受信回路２１１及び信号チェック部２１２を備える。赤外線送受信回路２１１は、赤外線により信号を送受信するための回路である。信号チェック部２１２は、受信した信号が携帯端末１０１から送信された信号であるか否かを判定し、受信した信号が携帯端末１０１から送信された信号である場合に受信した信号をコントローラ１０３に送信する。
認証用データベース（ＤＢ）２０１には、ＩＤリスト２１５が格納される。ＩＤリスト２１５は、コントローラ１０３が受信した信号に含まれる識別情報を認証するために参照され、認証を許可する識別情報を記憶する。ログファイル２０２は、自動ドア１０４が解錠状態である場合にコントローラ１０３が受信した信号に含まれる識別情報を記憶する。認証用データベース２０１及びログファイル２０２は、ハードディスク等の不揮発性メモリに実装される。コントローラ１０３が認証用データベース２０１及びログファイル２０２を備えてもよいし、コントローラ１０３にネットワークを介して接続される図示しないサーバが認証用データベース２０１及びログファイル２０２を備えてもよい。一つのコントローラ１０３が複数の自動ドアを制御する場合、ネットワークに接続されたサーバが認証用データベース２０１及びログファイル２０２を備えるほうがよい。
【００３９】
コントローラ１０３は、認証部２１３及び状態制御部２１４を備える。認証部２１３は、ＩＤリスト２１５を参照し、受信した信号に含まれる識別情報を認証する。認証部２１３は、受信した信号に含まれる識別情報がＩＤリスト２１５に存在する場合、当該信号に含まれる識別情報の認証が成功したとし、受信した信号に含まれる識別情報がＩＤリスト２１５に存在しない場合、当該信号に含まれる識別情報の認証が失敗したとする。
【００４０】
状態制御部２１４は、認証部２１３によって認証された信号が第１信号であるか第２信号であるかを判断し、自動ドア１０４の状態と判断結果とに基づいて、自動ドア１０４の状態を制御する。状態制御部２１４は、自動ドア１０４が施錠状態であり、受信した信号が第２信号である場合、自動ドア１０４に解錠信号を送信する。一方、状態制御部２１４は、自動ドア１０４が解錠状態であり、所定時間以上連続して第１信号を受信しない場合、自動ドア１０４に施錠信号を送信する。
【００４１】
図４は、本発明の第１実施例の入退管理システムのシーケンス図である。
【００４２】
図４では、赤外線送受信機１０２の信号チェック部２１２による処理は省略しており、携帯端末１０１とコントローラ１０３との通信について主に説明する。
【００４３】
携帯端末１０１には、第１信号に含まれる第１識別情報及び第２信号に含まれる第２識別情報が予め割り当てられる。第１識別情報及び第２識別情報は他の携帯端末１０１と重複しないように割り当てられる。図４では、携帯端末１０１Ａが送信する第１信号に含まれる第１識別情報をＩＤ１Ａと示し、携帯端末１０１Ｂが送信する第２信号に含まれる第２識別情報をＩＤ２Ａと示す。
【００４４】
なお、コントローラ１０３が第１識別情報か第２識別情報かを簡単に判別できるように、第１識別情報及び第２識別情報の上位ビットを異ならせることが望ましい。
【００４５】
図４では、ユーザが自動ドア１０４に近づき、施錠状態である自動ドア１０４の前で一度立ち止まり、解錠状態となった自動ドア１０４を通過していく状況について説明する。
【００４６】
まず、携帯端末１０１Ａは、ユーザが歩行していることを検出する（３００）。具体的には、上述したように、携帯端末１０１Ａに備わるマイコン１１１が加速度センサ１１３の測定結果に基づいてユーザが歩行しているかユーザが停止しているかを検出する。
【００４７】
次に、コントローラ１０３は、識別情報の送信要求であるＩＤ要求を赤外線送受信機１０２に送信する（１０３）。コントローラ１０３は、ＩＤ要求を周期的に（例えば０．５秒に１回）送信する。赤外線送受信機１０２は、コントローラ１０３から送信されたＩＤ要求を外部に送信する。
【００４８】
ここで、携帯端末１０１Ａは、赤外線送受信機１０２から送信されたＩＤ要求を受信した場合、ユーザが歩行していることを検出しているため、ＩＤ１Ａを含む第１信号を外部に送信する（３０２）。
【００４９】
赤外線送受信機１０２は、携帯端末１０１Ａから送信された第１信号を受信し、受信した第１信号をコントローラ１０３に送信する。コントローラ１０３は、赤外線送受信機１０２から送信された第１信号を受信しても、自動ドア１０４が施錠状態であるので、何の処理も実行しない。
【００５０】
次に、携帯端末１０１Ａは、ユーザが停止していることを検出する（３１０）。コントローラ１０３はＩＤ要求を赤外線送受信機１０２に送信し（３１１）、赤外線送受信機１０２は、受信したＩＤ要求を外部に送信する。
【００５１】
携帯端末１０１Ａは、赤外線送受信機１０２から送信されたＩＤ要求を受信した場合、ユーザが停止していることを検出しているため、ＩＤ２Ａを含む第２信号を外部に送信する（３１２）。
【００５２】
赤外線送受信機１０２は、携帯端末１０１Ａから送信された第２信号を受信し、受信した第２信号をコントローラ１０３に送信する。コントローラ１０３は、赤外線送受信機１０２から送信された第２信号を受信した場合、受信した第２信号に含まれるＩＤ２ＡがＩＤリスト２１５に登録されているかを判定することによって、ＩＤ２Ａを認証する（３１３）。
【００５３】
ステップ３１３の処理でＩＤ２Ａが認証された場合、コントローラ１０３は、施錠状態である自動ドア１０４を解錠状態に制御するために解錠信号を自動ドア１０４に送信し、自動ドア１０４を解錠状態に制御する（３１４）。
【００５４】
次に、自動ドア１０４が解錠状態となったので、自動ドア１０４を通過するためにユーザは歩行を開始する。携帯端末１０１Ａは、ユーザが歩行していることを検出する（３２０）。コントローラ１０３はＩＤ要求を赤外線送受信機１０２に送信し（３２１）、赤外線送受信機１０２は、受信したＩＤ要求を外部に送信する。
【００５５】
携帯端末１０１Ａは、赤外線送受信機１０２から送信されたＩＤ要求を受信した場合、ユーザが歩行していることを検出しているため、ＩＤ１Ａを含む第１信号を外部に送信する（３２２）。
【００５６】
赤外線送受信機１０２は、携帯端末１０１Ａから送信された第１信号を受信し、受信した第１信号をコントローラ１０３に送信する。コントローラ１０３は、赤外線送受信機１０２から送信された第１信号を受信した場合、受信した第１信号に含まれるＩＤ１Ａを認証する（３２３）。
【００５７】
ステップ３２３の処理でＩＤ１Ａが認証された場合、コントローラ１０３は、自動ドア１０４が解錠状態であるので、認証されたＩＤ１Ａをログファイル２０２に記憶する（３２４）。
【００５８】
次に、自動ドア１０４が解錠状態となっている間に、他の携帯端末１０１Ｂを所持するユーザが自動ドア近づいてきた場合について説明する。この場合、携帯端末１０１Ｂは、携帯端末１０１Ａは、ユーザが歩行していることを検出する（３３０）。コントローラ１０３はＩＤ要求を赤外線送受信機１０２に送信し（３３１）、赤外線送受信機１０２は、受信したＩＤ要求を外部に送信する。
【００５９】
携帯端末１０１Ｂは、赤外線送受信機１０２から送信されたＩＤ要求を受信した場合、ユーザが歩行していることを検出しているため、ＩＤ１Ｂを含む第１信号を外部に送信する（３３２）。
【００６０】
赤外線送受信機１０２は、携帯端末１０１Ｂから送信された第１信号を受信し、受信した第１信号をコントローラ１０３に送信する。コントローラ１０３は、赤外線送受信機１０２から送信された第１信号を受信した場合、受信した第１信号に含まれるＩＤ１Ｂを認証する（３３３）。
【００６１】
ステップ３３３の処理でＩＤ１Ｂが認証された場合、コントローラ１０３は、自動ドア１０４が解錠状態であるので、認証されたＩＤ１Ｂをログファイル２０２に記憶する（３３４）。
【００６２】
このようにして、コントローラ１０３は、自動ドア１０４が解錠状態である場合に受信した第１信号に含まれる第１識別情報をログファイル２０２に記憶するので、自動ドア１０４が解錠状態である場合に自動ドア１０４を通過したユーザを管理することができる。また、ログファイル２０２は、第２識別情報よりビット長の短い第１識別情報を記憶するので、ログファイル２０２のデータ容量を削減できる。
【００６３】
図５は、本発明の携帯端末１０１及び赤外線送受信機１０２の動作を示すタイミングチャートである。
【００６４】
図５の（Ａ）は、携帯端末１０１に備わる加速度センサ１１３の動作を示すタイミングチャートである。図５の（Ａ）に示すように、加速度センサ１１３によって測定される停止時の加速度の波形は、加速度センサ１１３によって測定される歩行時の加速度の波形と異なる。
【００６５】
本実施例では、携帯端末１０１に備わるマイコン１１１は、加速度のピーク値が所定値以下である時間（ｔ）が所定時間（Ｔ）より大きい場合に、ユーザが停止していると判定する。これによって、ユーザの停止中を正確に判定することができる。
【００６６】
図５の（Ｂ）は、携帯端末１０１に備わる赤外線送受信モジュール１１２が赤外線を用いて信号を送信する場合の動作のタイミングチャートである。また、図５の（Ｃ）は、赤外線送受信機１０２が赤外線を用いてＩＤ要求を送信する場合の動作のタイミングチャートである。
【００６７】
図５の（Ｃ）に示すように、赤外線送受信機１０２は、所定周期でＩＤ要求を外部に送信している。携帯端末１０１は、赤外線送受信機１０２から送信されたＩＤ要求を受信した場合、ユーザが歩行していればＩＤ１を含む第１信号を赤外線送受信モジュール１１２から送信し、ユーザが停止していればＩＤ２を含む第２信号を赤外線送受信モジュール１１２から送信する。
【００６８】
また、図５の（Ｂ）に示すように、ＩＤ２を含む第２信号は、ＩＤ１を含む第１信号よりビット長が長いので、第２信号の送信時間は第１信号の送信時間より長くなる。
【００６９】
図６は、本発明の第１実施例の第１信号に含まれる識別情報を認証部２１３が認証する方式の説明図である。
【００７０】
携帯端末１０１は、ＩＤ１を含む第１信号を送信する（６０１）。コントローラ１０３の認証部２１３は、携帯端末１０１から送信された第１信号を受信した場合、受信した第１信号に含まれるＩＤ１がＩＤリスト２１５に登録されていれば、認証が成功したと判定し、受信した第１信号に含まれるＩＤ１がＩＤリスト２１５に登録されていなければ、認証が失敗したと判定する。
【００７１】
第１信号はログファイル２０２に記憶することを目的として携帯端末１０１から送信されるので、上述したように、暗号化せず平文で送信される。このため、第１信号のビット長は例えば３２ビット程度でよい。
【００７２】
図７は、本発明の第１実施例の第２信号に含まれる識別情報を認証部２１３が認証する方式の説明図である。
【００７３】
コントローラ１０３の認証部２１３は、乱数を用いて暗号化のための鍵を生成し（７１）、生成した鍵をＩＤ要求に含めて赤外線送受信機１０２を介して携帯端末１０１に送信する（７０２）。
【００７４】
携帯端末１０１は、ＩＤ要求を受信した場合、ユーザが停止していれば、受信したＩＤ要求に含まれる鍵を用いてＩＤ２を暗号化し（７０３）、暗号化されたＩＤ２を含む第２信号を赤外線送受信機１０２を介してコントローラ１０３に送信する（７０４）。
【００７５】
コントローラ１０３が第２信号を受信した場合、認証部２１３は、受信した第２信号に含まれる暗号化されたＩＤ２を、鍵を用いて復号化する（７０５）。そして、認証部２１３は、復号化されたＩＤ２がＩＤリスト２１５に登録されていれば、認証が成功したと判定し、復号化されたＩＤ２がＩＤリスト２１５に登録されていなければ、認証が失敗したと判定する。
【００７６】
ＩＤ２を含む第２信号は、自動ドア１０４を解錠するためのものであり、セキュリティの向上が要求されるため、上述したように暗号化して送信される。また、第２信号のビット長は例えば２５６ビット程度である。
【００７７】
なお、図７では、鍵がＩＤ要求に含まれて認証部２１３から携帯端末１０１に送信される例について説明したが、認証部２１３及び携帯端末１０１に同じ鍵が予め設定されていれば、認証部２１３はＩＤ要求に鍵を含めて送信する必要はない。
【００７８】
図８は、本発明の第１実施例の携帯端末１０１の赤外線送受信の説明図である。
【００７９】
マイコン１１１は変調復調モジュール８０１を介して赤外線送受信モジュール１１２に接続される。
【００８０】
まず、携帯端末１０１が赤外線を用いて信号を送信する場合の動作について説明する。
【００８１】
マイコン１１１は、送信データＴＸＤをシリアル通信インタフェースを介して変調復調モジュール８０１に入力する。変調復調モジュール８０１の変調回路９００は、入力された送信データを赤外線の発光時間を短くするパルスに変調し、変調後の送信データＩＲ−ＴＤを赤外線送受信モジュール１１２に入力する。赤外線送受信モジュール１１２は、送信データＩＲ−ＴＤが入力されると、入力された送信データＩＲ−ＴＤに基づいて、図示しない赤外線発光ダイオードを発光させることによって、赤外線を用いて信号を送信する。変調回路９００は図９Ａ及び図９Ｂで詳細を説明する。
【００８２】
次に、携帯端末１０１が赤外線を用いて信号を受信する場合の動作について説明する。
【００８３】
赤外線送受信モジュール１１２は、赤外線送受信機１０２から送信されるＩＤ要求などの受信データを図示しない赤外線受光素子を介して受信する。赤外線送受信モジュール１１２は、受信データ（ＩＲ−ＲＤ）を変調復調モジュール８０１に入力する。
【００８４】
変調復調モジュール８０１の復調回路１０００は、入力された受信データを復調し、復調後の受信データ（ＲＸＤ）をマイコン１１１に入力する。復調回路１０００は図１０Ａ及び図１０Ｂで詳細を説明する。
【００８５】
例えば、マイコン１１１と変調復調モジュール８０１との間では、パルス幅が１６μｓより小さいデータを通信できず、変調復調モジュール８０１と赤外線送受信モジュール１１２との間では、パルス幅が４μｓ程度のデータを通信可能であるとすると、変調回路９００が送信データのパルス幅を１６μｓから４μｓ程度まで短くするように変調する。これによって、送信データを送信する場合の消費電力を低減することができる。この場合、復調回路１０００が４μｓ程度のパルス幅の受信データを１６μｓ以上のパルス幅となるように復調することも必要となる。
【００８６】
変調回路９００について図９Ａ及び図９Ｂを用いて説明する。
【００８７】
図９Ａは、本発明の第１実施例の変調回路９００の回路図である。
【００８８】
変調回路９００は、バイナリカウンタ９０１、論理否定回路９０２、及び論理積回路９０３を備える。
【００８９】
バイナリカウンタ９０１は、マイコン１１１から送信データ（ＴＸＤ）が入力されるＣＬＲ入力、及び、マイコン１１１によって生成されるクロック信号（ＣＬＫ）が入力される反転ＣＫ入力を有し、これらの入力に対するＱＡ出力、ＱＢ出力、ＱＣ出力、及びＱＤ出力を有する。
【００９０】
具体的には、バイナリカウンタ９０１は、４つのＤ型フリップフロップによって構成される。Ｄ型フリップフロップの反転Ｑ出力は次段のＤ型フロップフロップのＤ入力及びＣＬＫ入力に接続される。
【００９１】
バイナリカウンタ９０１は、ＣＬＲ入力のＴＸＤがＬｏｗである場合に、反転ＣＫ入力のクロック信号をカウントし、ＱＡ出力、ＱＢ出力、ＱＣ出力、及びＱＤ出力から２進数のデータを出力する。また、バイナリカウンタ９０１は、ＣＬＲ入力がＨｉｇｈである場合、ＱＡ出力、ＱＢ出力、ＱＣ出力、及びＱＤ出力からＬｏｗを出力する。
【００９２】
ＱＡ出力は１段目のＤ型フリップフロップのＱ出力であり、ＱＢ出力は２段目のＤ型フリップフロップのＱ出力であり、ＱＣ出力は３段目のＤ型フリップフロップのＱ出力であり、ＱＤ出力は４段目のＤ型フリップフロップのＱ出力である。
【００９３】
バイナリカウンタ９０１のＱＣ出力は論理積回路９０３に入力され、ＱＤ出力は論理否定回路９０２を介して論理積回路９０３に入力され、論理積回路９０３の出力が送信データＩＲ−ＴＤとして赤外線送受信モジュール１１２に入力される。
【００９４】
図９Ｂは、本発明の第１実施例の変調回路９００のタイミングチャートである。
【００９５】
クロック信号（ＣＬＫ）の周波数は１ＭＨｚであり、変調回路９００は、ＣＬＲ入力のＴＸＤがＬｏｗである場合、図示しない赤外線発光ダイオードを発光させるための送信データ（ＩＲ−ＴＤ）を、ＴＸＤがＬＯＷとなっている時間より短い時間Ｈｉｇｈにする。
【００９６】
バイナリカウンタ９０１は、ＴＸＤがＬｏｗとなったタイミングでＣＬＫのカウントを開始し、図示するように、ＱＡ出力の周波数はＣＬＫの周波数の１／２となり、ＱＢ出力の周波数はＣＬＫの周波数の１／４となり、ＱＣ出力の周波数はＣＬＫの周波数の１／８となり、ＱＤ出力の周波数はＣＬＫの周波数の１／１６となる。
【００９７】
ＱＣ出力と論理否定回路９０２によって反転されたＱＤ出力とが論理積回路９０３に入力されるため、ＱＣ出力がＨｉｇｈとなりＱＤ出力がＬｏｗとなる時間（ＴｘＴＤ）、論理積回路９０３の出力であるＩＲ−ＴＤがＨｉｇｈとなる。ここで、ＩＲ−ＴＤがＨｉｇｈとなる時間（ＴｘＴＤ）は、ＱＣ出力がＨｉｇｈとなる時間である４μｓとなる。このため、変調回路９００は、ＴＸＤがＬＯＷとなる時間である１６μｓを４μｓに変調でき、これによって、図示しない赤外線発光ダイオードの赤外線発光のための消費電力を１／４に低減できる。
【００９８】
次に復調回路１０００について図１０Ａ及び図１０Ｂを用いて説明する。
【００９９】
図１０Ａは、本発明の第１実施例の復調回路１０００の回路図である。
【０１００】
復調回路１０００は、バイナリカウンタ１００１、論理積回路１００２〜１００４、論理和回路１００５及び１００６、並びに論理否定回路１００７を備える。
【０１０１】
バイナリカウンタ１００１の構成は、変調回路９００に備わるバイナリカウンタ９０１と同じであるので、説明を省略する。
【０１０２】
バイナリカウンタ１００１の入力ＣＬＲには、論理否定回路１００７によって反転されたＴＸＤと反転ＩＲ−ＴＤとを入力とする論理和回路１００６による論理和の値が入力される。また、反転ＣＫ入力には、クロック信号を示すＣＬＫと受信データを示すＲＸＤとを入力とする論理和回路１００５による論理和の値が入力される。なお、論理和回路１００６及び論理否定回路１００７は、ＴＸＤがＬｏｗである場合には、赤外線を受光したことを示す信号（反転ＩＲ−ＲＤ）を遮断するための回路であり、赤外線送受信モジュール１１２が送信した信号を自身が受信して、当該信号を取り込むことを防止するためのものである。
【０１０３】
論理積回路１００２は、バイナリカウンタ１００１のＱＡ出力とＱＢ出力との論理積を算出する。また、論理積回路１００３は、バイナリカウンタ１００１のＱＣ出力とＱＤ出力との論理積を算出する。
【０１０４】
論理積回路１００４は、論理積回路１００２の論理積の値と論理積回路１００３の論理積の値との論理積を算出し、算出した論理積を受信データ（ＲＸＤ）としてマイコン１１１に入力する。また、論理積回路１００４は、受信データ（ＲＸＤ）を論理和回路１００５にも入力する。
【０１０５】
図１０Ｂは、本発明の第１実施例の復調回路１０００のタイミングチャートである。
【０１０６】
クロック信号（ＣＬＫ）の周波数は１ＭＨｚであり、復調回路１０００は、赤外線を受光したことを示す反転ＩＲ−ＲＤがＬＯＷとなっている時間より長い時間の間、マイコンに入力するＲＸＤをＬｏｗにする。
【０１０７】
バイナリカウンタ１００１は、ＴＸＤがＨｉｇｈである場合において、反転ＩＲ−ＲＤがＬｏｗからＨＩＧＨになったタイミングでＣＬＫのカウントを開始する。バイナリカウンタ１００１のＱＡ出力、ＱＢ出力、ＱＣ出力、及びＱＤ出力は、図９Ｂと同じ動作をする。
【０１０８】
ＱＡ出力、ＱＢ出力、ＱＣ出力、及びＱＤ出力は、論理積回路１００２〜１００４によって論理積が算出され、論理積回路１００４からの出力であるＲＸＤは１６μｓの間Ｌｏｗとなる。なお、ＲＸＤがＬｏｗとなっている時間をＴｗＲＸＤという。このため、反転ＩＲ−ＩＤがＬｏｗとなっている時間（ＴｗＲＤ）に１４μｓ〜１５μｓを加算した時間を、ＴｗＲＸＤとすることができ、短い赤外線受光信号であっても復調回路１０００が１６μｓに復調するので、当該復調後の信号（ＲＸＤ）をマイコン１１１に入力することが可能となる。
【０１０９】
次に、第１実施例の変形例について図１１を用いて説明する。
【０１１０】
図１１は、本発明の第１実施例の変形例の入退管理システムのシーケンス図である。
【０１１１】
本変形例では、図４に示すシーケンスと異なり、コントローラ１０３はＩＤ要求を送信せず、携帯端末１０１が周期的に第１信号又は第２信号を送信する。また、本変形例では、図４に示すシーケンスと異なり、携帯端末１０１は、ユーザが歩行しているか停止しているかを検出せず、操作スイッチ１１６が操作された場合に第２信号を送信する。
【０１１２】
図１１に示す処理のうち、図４に示す処理と同じ処理は同じ符号を付与し、説明を省略する。
【０１１３】
携帯端末１０１は、第１信号又は第２信号を送信してから所定時間が経過すると、操作スイッチ１１６が操作されたか否かを判定し、操作スイッチ１１６が操作されていないと判定された場合第１信号を送信し、操作スイッチ１１６が操作されたと判定された場合第２信号を送信する。
【０１１４】
図１１では、携帯端末１０１は、操作スイッチ１１６が操作されていないと判定し、ＩＤ１を含む第１信号を送信する（５０１）。しかし、ステップ５０１の処理で送信された第１信号は赤外線送受信機１０２に到達せず、赤外線送受信機１０２は、ステップ５０１の処理で送信された第１信号を受信しない。
【０１１５】
携帯端末１０１は、次の第１信号又は第２信号の送信タイミングでも、操作スイッチ１１６が操作されていないと判定し、第１信号を送信する（５１１）。ステップ５１１の処理で送信された第１信号は赤外線送受信機１０２に到達し、赤外線送受信機１０２は、ステップ５１１の処理で送信された第１信号を受信し、受信した第１信号をコントローラ１０３に送信する。コントローラ１０３は、赤外線送受信機１０２から送信された第１信号を受信しても、自動ドア１０４が施錠状態であるので、何の処理も実行しない。
【０１１６】
次に、携帯端末１０１は、操作スイッチ１１６が操作されたことを検出する（５２０）。この場合、携帯端末１０１は、図示しないメモリに操作スイッチ１１６が操作されたことを示す操作フラグを設定する。携帯端末１０１は、第２信号を送信すると、操作フラグを解除する。
【０１１７】
次の第１信号又は第２信号の送信タイミングでは、携帯端末１０１は、操作フラグが設定されているので、ＩＤ２を含む第２信号を送信し（５２１）、操作フラグを解除する。第２信号の操作フラグを解除することによって、何度も第２信号が送信されることを防止できる。
【０１１８】
赤外線送受信機１０２は、ステップ５２１の処理では送信された第２信号を受信し、受信した第２信号をコントローラ１０３に送信する。コントローラ１０３は、第２信号を受信すると、ステップ３１３の処理で第２信号に含まれるＩＤ２を認証する。そして、コントローラ１０３は、認証が成功すると、ステップ３１４の処理で自動ドア１０４を解錠状態に制御する。
【０１１９】
次の第１信号又は第２信号の送信タイミングでは、携帯端末１０１は、操作フラグが解除されているので、ＩＤ１を含む第１信号を送信する（５３１）。赤外線送受信機１０２は、ステップ５３１の処理で送信された第１信号を受信し、受信した第１信号をコントローラ１０３に送信する。
【０１２０】
コントローラ１０３は、第１信号を受信すると、自動ドア１０４が解錠状態であるので、受信した第１信号に含まれるＩＤ１Ａをステップ３２３の処理で認証する。そして、コントローラ１０３は、認証が成功すると、認証されたＩＤ１をログファイル２０２にステップ３２４の処理で記憶する。
【０１２１】
次の第１信号又は第２信号の送信タイミングでも、携帯端末１０１は、ＩＤ１を含む第１信号を送信する（５４１）。赤外線送受信機１０２は、ステップ５４１の処理で送信された第１信号を受信すると、受信した第１信号をコントローラ１０３に送信する。コントローラ１０３は、第１信号を受信すると、ステップ３２３の処理で、受信した第１信号に含まれるＩＤ１を認証する。認証が成功しても、当該ＩＤ１は既にログファイル２０２に記憶されているので、コントローラ１０３は当該ＩＤ１をログファイル２０２に記憶しない。
【０１２２】
ステップ５５１及び５６１の処理で送信される第１信号は、ユーザが自動ドア１０４を通過後に送信されるので、赤外線送受信機１０２に到達しない。
【０１２３】
また、コントローラ１０３は、自動ドア１０４が解錠状態で最後に第１信号を受信してから所定時間が経過すると、ステップ３４０の処理で、自動ドア１０４を施錠状態に制御する。
【０１２４】
本変形例の入退管理システムでは、携帯端末１０１の赤外線送信に要する消費電力は増加するが、赤外線受信に要する消費電力を低減できる。赤外線受信に要する消費電力が赤外線送信に要する消費電力より大きい携帯端末１０１である場合には、本変形の入退管理システムを適用すれば、携帯端末１０１の消費電力を低減できる。
【０１２５】
なお、上述した第１実施例では、携帯端末１０１がＩＤ要求を受信した場合にユーザが歩行しているか否かによって第１信号又は第２信号を送信することを説明した。また、上述した第１実施例の変形例では、携帯端末１０１がＩＤ要求によらず所定のタイミングで操作スイッチ１１６が操作されたか否かによって第１信号又は第２信号を送信することを説明した。しかし、本発明はこれらに限定されず、携帯端末１０１がＩＤ要求を受信した場合に操作スイッチ１１６が操作されたか否かによって第１信号又は第２信号を送信してもよいし、携帯端末１０１がＩＤ要求によらず所定のタイミングでユーザが歩行しているか否かによって第１信号又は第２信号を送信してもよい。
【０１２６】
（第２実施例）
本発明の第２実施例を図１２〜図１５を用いて説明する。
【０１２７】
第１実施例では、コントローラ１０３が自動ドア１０４の状態を制御する入退管理システムについて説明したが、本実施例では、コントローラ１０３が情報機器１１０３（図１２参照）の状態を制御する情報機器状態管理システムについて説明する。
【０１２８】
図１２は、本発明の第２実施例の情報機器状態管理システムの構成図である。
【０１２９】
情報機器状態管理システムは、携帯端末１０１、赤外線送受信機１０２、情報機器１１０３、出力装置であるディスプレイ１１０４、入力装置の一つであるキーボード１１０５、及び入力装置の一つであるマウス１１０６を備える。なお、図１２に示す構成のうち、第１実施例の図１に示す構成と同じ構成は、同じ符号を付与し、説明を省略する。
【０１３０】
コントローラ１０３の機能は、赤外線送受信機１０２及び情報機器１１０４のいずれに実装されてもよいが、本実施例では情報機器１１０４に実装されるものとして説明する。このため、第１実施例のコントローラ１０３の動作を情報機器１１０４の動作として説明する。情報機器１１０４はパーソナルコンピュータを例に説明するが、他の情報機器であってもよい。また、赤外線送受信機１０２の機能は、情報機器１１０４に実装されてもよい。
【０１３１】
携帯端末１０１は、第１実施例と同様に、情報機器１１０４からＩＤ要求を受信した場合に第１信号又は第２信号を送信してもよいし、周期的に第１信号又は第２信号を送信してもよい。また、携帯端末１０１は、ユーザが歩行していることを検出している場合に第１信号を送信し、ユーザが停止していることを検出している場合に第２信号を送信してもよいし、操作スイッチ１１６が操作されていない場合に第１信号を送信し、操作スイッチ１１６が操作された場合に第２信号を送信してもよい。
【０１３２】
情報機器１１０３の状態には施錠状態と解錠状態とがある。情報機器１１０３は、施錠状態である場合には、例えば、キーボード１１０５及びマウス１１０６からの入力を受け付けない。また、情報機器１１０３は、施錠状態である場合に、ディスプレイ１１０４に所定の画面が表示されるようにしてもよい。
【０１３３】
情報機器１１０３は、施錠状態である場合に赤外線送受信機１０２を介して第２信号を受信すると、自身の状態を解錠状態に制御する。また、情報機器１１０３は、解錠状態である場合、第１信号を受信している間は、自身の状態を解錠状態に保持し、第１信号を所定時間受信しなければ、施錠状態に制御する。
【０１３４】
情報機器状態管理システムでは、ユーザが席から立ち上がると、情報機器１１０３は自身の状態を施錠状態に制御し、ユーザが席に座ると、情報機器１１０３は自身の状態を解錠状態に制御する。これによって、情報機器１１０３を解錠状態にするためのパスワード入力などの手間を省略できる。
【０１３５】
図１３は、本発明の第２実施例の情報機器状態管理システムのシーケンス図である。図１３に示す処理のうち第１実施例の図４に示す処理と同じ処理は、同じ符号を付与し、説明を省略する。
【０１３６】
図１３に示すシーケンスでは、情報機器１１０３は、施錠状態である場合に第２信号送信要求（ＩＤ２要求）を周期的に送信し、解錠状態である場合に第１信号送信要求（ＩＤ１要求）を周期的に送信する。なお、ＩＤ１要求及びＩＤ２要求を総称してＩＤ要求という。携帯端末１０１は、ＩＤ１要求を受信した場合、ユーザが歩行しているか否かにかかわらず、ＩＤ１を含む第１信号を送信する。携帯端末１０１は、ＩＤ２要求を受信した場合、ユーザが停止していることを検出していれば、ＩＤ２を含む第２信号を送信し、ユーザが歩行していることを検出していれば、いずれの信号も送信しない。
【０１３７】
図１３では、情報機器１１０３が施錠状態である場合（１２００）、ユーザが情報機器１１０３の前に座ることによって情報機器１１０３が解錠状態に制御され、その後ユーザが席を離れることによって情報機器１１０３が施錠状態に制御される状況について説明する。
【０１３８】
まず、携帯端末１０１は、ステップ３００の処理で、加速度センサ１１３によって測定された加速度に基づいて、ユーザが歩行していることを検出する。情報機器１１０３は、施錠状態であるので、ＩＤ２要求を所定周期で送信する（１２１１）。
【０１３９】
携帯端末１０１は、赤外線送受信機１０２を介してＩＤ２要求を受信した場合、ユーザが歩行していることを検出しているので、いずれの信号も送信しない（１２１２）。
【０１４０】
次に、ステップ３１０の処理で、携帯端末１０１はユーザが停止していることを検出する。情報機器１１０３は、ステップ１２１１の処理でＩＤ２要求を送信してから所定時間が経過した場合、ＩＤ２要求を送信する（１２２１）。
【０１４１】
携帯端末１０１は、赤外線送受信機１０２を介してＩＤ２要求を受信した場合、ユーザが停止しているので、ＩＤ２を含む第２信号を送信する（１２２２）。
【０１４２】
情報機器１１０３は、赤外線送受信機１０２を介して第２信号を受信した場合、ステップ３１３の処理で第２信号に含まれるＩＤ２を認証する。そして、情報機器１１０３は、認証が成功すると、ステップ３１４の処理で自身を解錠状態に制御する。
【０１４３】
次に、情報機器１１０３は、ステップ１２２１の処理でＩＤ２要求を送信してから所定時間が経過した場合、解錠状態であるので、ＩＤ１要求を送信する（１２３１）。
【０１４４】
携帯端末１０１は、赤外線送受信機１０２を介してＩＤ１要求を受信した場合、第１信号を送信する（１２３２）。
【０１４５】
情報機器１１０３は、受信した第１信号に含まれるＩＤ１をステップ３２３の処理で認証する。そして、情報機器１１０３は、認証が成功すると、解錠状態を保持する（１２３３）。
【０１４６】
次に、情報機器１１０３は、ステップ１２３１の処理でＩＤ１要求を送信してから所定時間が経過した場合、解錠状態であるので、ＩＤ１要求を送信する（１２４１）。
【０１４７】
この場合、ユーザが席を離れており、携帯端末１０１は、ステップ１２４１の処理で送信されたＩＤ１要求を受信しないため、いずれの信号も送信しない。
【０１４８】
情報機器１１０３は、自動ドア１０４が解錠状態で最後に第１信号を受信してから所定時間が経過すると、ステップ３４０の処理で、自動ドア１０４を施錠状態に制御する。また、情報機器１１０３は、施錠状態である場合、ＩＤ２要求を送信する（１２５１）。
【０１４９】
以上によって、携帯端末１０１は、ＩＤ２を含む第２信号の送信回数を低減できるので、消費電力を低減できる。
【０１５０】
上述した本発明の第２実施例の情報機器１１０３及び携帯端末１０１の状態遷移について図１４Ａ及び図１４Ｂを用いて説明する。
【０１５１】
図１４Ａは、本発明の第２実施例の情報機器１１０３の状態遷移の説明図である。
【０１５２】
上述したように、情報機器１１０３の状態には施錠状態と解錠状態とがある。まず、情報機器１１０３が施錠状態である場合について説明する。情報機器１１０３は、施錠状態である場合、携帯端末１０１にＩＤ２要求を送信し、携帯端末１０１からＩＤ２を含む第２信号を受信し、ＩＤ２の認証に成功するまで施錠状態を保持する。また、情報機器１１０３は、ＩＤ２を含む第２信号を受信し、ＩＤ２の認証に成功すると、解錠状態に遷移する。
【０１５３】
次に、情報機器１１０３が解錠状態である場合について説明する。情報機器１１０３は、解錠状態である場合、携帯端末１０１にＩＤ１要求を送信する。情報機器１１０３は、ＩＤ１を含む第１信号を受信し、受信した第１信号のＩＤ１の認証に成功している間、解錠状態を保持する。また、情報機器１１０３は、予め設定された時間の間、第１信号を受信しない場合、又は、第１信号を受信した場合であっても、受信した第１信号のＩＤ１の認証に予め設定された時間の間失敗した場合、施錠状態に遷移する。
【０１５４】
図１４Ｂは、本発明の第２実施例の携帯端末１０１の状態遷移の説明図である。
【０１５５】
携帯端末１０１の状態には、ユーザが歩行していることを検出している歩行検出状態と、ユーザが停止していることを検出している停止検出状態と、がある。
【０１５６】
マイコン１１１が加速度センサ１１３の測定結果に基づいてユーザが歩行しているかユーザが停止しているかを判定することによって、携帯端末１０１の状態をこれらの状態の間で遷移させる。
【０１５７】
携帯端末１０１は、歩行検出状態である場合、ＩＤ１要求を受信するとＩＤ１を含む第１信号を送信し、ＩＤ２要求を受信してもＩＤ２を含む第２信号を送信しない。一方、携帯端末１０１は、停止検出状態である場合、ＩＤ１要求を受信すると第１信号を送信し、ＩＤ２要求を受信すると第２信号を送信する。
【０１５８】
以上によって、本実施例によれば、携帯端末１０１は、第２信号の送信回数を低減できるので、消費電力を低減できる。
【０１５９】
次に、本発明の第２実施例の変形例について図１５を用いて説明する。
【０１６０】
図１５は、本発明の第２実施例の変形例の情報機器状態管理システムのシーケンス図である。図１５に示す処理のうち第１実施例の図１１に示す処理と同じ処理は、同じ符号を付与し、説明を省略する。
【０１６１】
本変形例では、第１実施例の変形例の図１１と同様に、携帯端末１０１が周期的に第１信号又は第２信号を送信する。また、図１５では、図１３と同様に、情報機器１１０３が施錠状態である場合に、ユーザが情報機器１１０３の前に座ることによって情報機器１１０３が解錠状態に制御され、その後ユーザが席を離れることによって情報機器１１０３が施錠状態に制御される状況について説明する。
【０１６２】
まず、ステップ３００の処理で、携帯端末１０１は、ユーザが歩行していることを検出する。そして、携帯端末１０１は、信号の送信タイミングに達すると、ユーザが歩行しているので、ステップ５０１の処理で第１信号を送信する。情報機器１１０３は、ステップ３００の処理で送信された第１信号を赤外線送受信機１０２を介して受信しても、施錠状態であるので、何も処理を実行しない。
【０１６３】
ステップ３１０の処理で、携帯端末１０１は、ユーザが停止していることを検出する。そして、携帯端末１０１は、次の信号の送信タイミングに達すると、ステップ５２１の処理で第２信号を送信する。
【０１６４】
情報機器１１０３は、ステップ５２１の処理で送信された第２信号を受信すると、受信した第２信号に含まれるＩＤ２をステップ３１３の処理で認証する。そして、情報機器１１０３は、認証が成功すると、ステップ３１４の処理で自身の状態を施錠状態から解錠状態に制御する。
【０１６５】
携帯端末１０１は、次の信号の送信タイミングに達すると、ユーザが停止していることを検出しているので、ステップ５３１の処理で第２信号を送信する。情報機器１１０３は、ステップ５３１の処理で送信された第２信号を受信すると、受信した第２信号に含まれるＩＤ２をステップ３２３の処理で認証する。そして、情報機器１１０３は、認証が成功すると、ステップ１２３３の処理で解錠状態を保持する。
【０１６６】
次の信号の送信タイミングでは、ユーザが立ち上がっている最中であるとし、携帯端末１０１が第２信号を送信しても（１４０１）、赤外線送受信機１０２は第２信号を受信しない。
【０１６７】
そして、ユーザが歩行を開始し席から離れた場合、携帯端末１０１は、ステップ３００の処理でユーザが歩行していることを検出し、次の信号の送信タイミングに達すると、第１信号を送信する（１４１１）。
【０１６８】
情報機器１１０３は、解錠状態で最後に第２信号を受信してから所定時間が経過すると、ステップ３４０の処理で、自身の状態を解錠状態から施錠状態に制御する。
【０１６９】
以上によって、本変形例では、携帯端末１０１の赤外線送信に要する消費電力は増加するが、赤外線受信に要する消費電力を低減できる。赤外線受信に要する消費電力が赤外線送信に要する消費電力より大きい携帯端末１０１である場合には、本変形の情報機器管理システムを適用すれば、携帯端末１０１の消費電力を低減できる。
【０１７０】
以上に説明した第１実施例及び第２実施例では、制御装置が状態を制御する制御対象として自動ドア１０４及び情報機器１１０３を例に挙げて説明したが、施錠状態又は解錠状態を制御可能な機器であればこれらに限定されない。また、第１実施例及び第２実施例では、携帯端末１０１が第２信号を送信するイベントとして、ユーザが停止していることを検出している状態及び操作スイッチ１１６が操作された状態を説明したが、これらに限定されるものではない。
【０１７１】
なお、本発明は上記した実施例に限定されるものではなく、様々な変形例が含まれる。例えば、上述した実施例は本発明を分かりやすく説明するために詳細に説明したものであり、必ずしも説明した全ての構成を備えるものに限定されるものではない。また、ある実施例の構成の一部を他の実施例の構成に置き換えることも可能であり、また、ある実施例の構成に他の実施例の構成を加えることも可能である。また、各実施例の構成の一部について、他の構成の追加・削除・置換をすることが可能である。
【０１７２】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。
【符号の説明】
【０１７３】
１０１    携帯端末
１０２    赤外線送受信機
１０３    コントローラ（制御装置）
１０４    自動ドア（制御対象）
１１１    マイコン
１１２    赤外線送受信モジュール
１１３    加速度センサ
１１４    温度センサ
１１５    スピーカ
１１６    操作スイッチ
１１７    不揮発性メモリ
１１８    照度センサ
１１９    マイク
１２０    ＬＣＤ
２０１    認証用データベース
２０２    ログファイル
２１１    赤外線送受信回路
２１２    信号チェック部
２１３    認証部
２１４    状態制御部
２１５    ＩＤリスト
【図１】
2013217142.tif 000003
【図２】
2013217142.tif 000004
【図３】
2013217142.tif 000005
【図４】
2013217142.tif 000006
【図５】
2013217142.tif 000007
【図６】
2013217142.tif 000008
【図７】
2013217142.tif 000009
【図８】
2013217142.tif 000010
【図９Ａ】
2013217142.tif 000011
【図９Ｂ】
2013217142.tif 000012
【図１０Ａ】
2013217142.tif 000013
【図１０Ｂ】
2013217142.tif 000014
【図１１】
2013217142.tif 000015
【図１２】
2013217142.tif 000016
【図１３】
2013217142.tif 000017
【図１４Ａ】
2013217142.tif 000018
【図１４Ｂ】
2013217142.tif 000019
【図１５】
2013217142.tif 000020